(57)【要約】      （修正有）【課題】計測時間を表示する指針を用いて蓄電手段の残存容量を分かり易く表示できる電子時計および電子時計の表示制御方法を提供する。【解決手段】電子時計は、電気エネルギーを発生する発電手段と、電気エネルギーを蓄える蓄電手段と、蓄電手段の残存容量を検出する容量検出手段と、操作手段と、操作手段に対する計測時間の表示を指示する計測表示操作、および、前記残存容量の表示を指示する容量表示操作を検出する操作検出手段と、計測時間および前記残存容量の表示に用いられる指針と、指針を駆動する駆動手段と、計測表示操作が検出された場合、駆動手段を制御して、指針を移動させて計測時間を表示させ、容量表示操作が検出された場合、駆動手段を制御して、指針を移動させて予め設定された基準位置を指示させた後、残存容量を表示させる表示制御手段と、を備える。【選択図】図２
2017106753.tif 000002
【特許請求の範囲】
【請求項１】
電気エネルギーを発生する発電手段と、
前記電気エネルギーを蓄える蓄電手段と、
前記蓄電手段の残存容量を検出する容量検出手段と、
操作手段と、
前記操作手段に対する計測時間の表示を指示する計測表示操作、および、前記残存容量の表示を指示する容量表示操作を検出する操作検出手段と、
前記計測時間および前記残存容量の表示に用いられる指針と、
前記指針を駆動する駆動手段と、
前記計測表示操作が検出された場合、前記駆動手段を制御して、前記指針を移動させて前記計測時間を表示させ、前記容量表示操作が検出された場合、前記駆動手段を制御して、前記指針を移動させて予め設定された基準位置を指示させた後、前記残存容量を表示させる表示制御手段と、を備える
ことを特徴とする電子時計。
【請求項２】
請求項１に記載の電子時計において、
前記表示制御手段は、前記指針に前記残存容量を表示させる場合、前記指針を反時計回りに移動させて前記基準位置を指示させた後、時計回りに移動させて前記残存容量を表示させる
ことを特徴とする電子時計。
【請求項３】
請求項１または請求項２に記載の電子時計において、
前記計測時間を表示する複数の指針を備え、
前記複数の指針のうち、最も高速に移動可能な指針が、前記残存容量の表示に用いられる
ことを特徴とする電子時計。
【請求項４】
請求項１から請求項３のいずれか１項に記載の電子時計において、
前記指針は、６０秒で１周するクロノグラフ秒針であり、
前記表示制御手段は、前記指針に、前記基準位置として３０秒位置を指示させる
ことを特徴とする電子時計。
【請求項５】
請求項１から請求項４のいずれか１項に記載の電子時計において、
前記表示制御手段は、
基準信号を生成する基準信号生成回路と、
前記基準信号をカウントする内部カウンター回路と、
前記指針の位置を示す針位置カウンター回路と、
前記内部カウンター回路のカウント値および前記針位置カウンター回路のカウント値が一致しない場合に、前記針位置カウンター回路にカウントを行わせ、かつ、前記指針を運針させる制御信号を出力する一致判定回路と、を備え、
前記計測表示操作が検出された場合、
前記内部カウンター回路に前記基準信号のカウントを行わせ、前記一致判定回路に前記制御信号を出力させることで、前記指針を移動させて前記計測時間を表示させ、
前記容量表示操作が検出された場合、
前記内部カウンター回路のカウント値が前記基準位置に対応する基準値となるまで、前記内部カウンター回路に前記基準信号のカウントを行わせ、前記一致判定回路に前記制御信号を出力させることで、前記指針を移動させて前記基準位置を指示させ、
前記内部カウンター回路のカウント値が前記基準値となった後、前記内部カウンター回路のカウント値を所定のカウント値に設定することで、前記一致判定回路に前記制御信号を出力させて、前記指針を移動させ、
前記針位置カウンター回路のカウント値が前記残存容量に対応した所定値になると、前記一致判定回路に前記制御信号の出力を停止させることで、前記指針を停止させて前記残存容量を表示させる
ことを特徴とする電子時計。
【請求項６】
電気エネルギーを発生する発電手段と、前記電気エネルギーを蓄える蓄電手段と、操作手段と、計測時間および前記蓄電手段の残存容量の表示に用いられる指針と、を備える電子時計の表示制御方法であって、
前記残存容量を検出するステップと、
前記操作手段に対する前記計測時間の表示を指示する計測表示操作を検出するステップと、
前記操作手段に対する前記残存容量の表示を指示する容量表示操作を検出するステップと、
前記計測表示操作が検出された場合、前記指針を移動させて前記計測時間を表示させるステップと、
前記容量表示操作が検出された場合、前記指針を移動させて予め設定された基準位置を指示させた後、前記残存容量を表示させるステップと、を有する
ことを特徴とする電子時計の表示制御方法。
【発明の詳細な説明】
【技術分野】
【０００１】
本発明は、蓄電手段の残存容量を表示する電子時計および電子時計の表示制御方法に関する。
【背景技術】
【０００２】
従来、蓄電手段を備え、蓄電手段の残存容量を、時刻情報を表示する指針によって表示する電子時計が知られている（例えば、特許文献１参照）。
特許文献１の電子時計は、大容量コンデンサーを備え、外部入力装置に対して、電子時計を節電モードに移行させる操作が行われると、秒針を早送りで移動させ、大容量コンデンサーの充電電圧に応じた位置を指示させる。これにより、大容量コンデンサーのエネルギー量を表示する。
【先行技術文献】
【特許文献】
【０００３】
【特許文献１】特開２０００−３５６６９０号公報
【発明の概要】
【発明が解決しようとする課題】
【０００４】
特許文献１の電子時計では、大容量コンデンサーのエネルギー量の表示に秒針を用いているため、当該エネルギー量を表示している間は、時刻情報の秒を表示できない。
時刻情報を表示しつつ、前記エネルギー量を表示する方法としては、例えば、電子時計がクロノグラフの計測時間を表示するクロノグラフ針を備える場合は、当該クロノグラフ針を用いて、前記エネルギー量を表示する方法が考えられる。
この場合に、クロノグラフ針が、計測時間を表示しているのか、前記エネルギー量を表示しているのかを、分かり易く表示できることが要望されている。
【０００５】
本発明の目的は、計測時間を表示する指針を用いて蓄電手段の残存容量を分かり易く表示できる電子時計および電子時計の表示制御方法を提供することにある。
【課題を解決するための手段】
【０００６】
本発明の電子時計は、電気エネルギーを発生する発電手段と、前記電気エネルギーを蓄える蓄電手段と、前記蓄電手段の残存容量を検出する容量検出手段と、操作手段と、前記操作手段に対する計測時間の表示を指示する計測表示操作、および、前記残存容量の表示を指示する容量表示操作を検出する操作検出手段と、前記計測時間および前記残存容量の表示に用いられる指針と、前記指針を駆動する駆動手段と、前記計測表示操作が検出された場合、前記駆動手段を制御して、前記指針を移動させて前記計測時間を表示させ、前記容量表示操作が検出された場合、前記駆動手段を制御して、前記指針を移動させて予め設定された基準位置を指示させた後、前記残存容量を表示させる表示制御手段と、を備えることを特徴とする。
【０００７】
本発明によれば、操作手段に対して計測表示操作が行われると、表示制御手段は、指針を移動させて計測時間を表示させる。
一方、操作手段に対して容量表示操作が行われると、表示制御手段は、指針を移動させて予め設定された基準位置を指示させた後、残存容量を表示させる。
表示制御手段は、例えば、指針を、基準位置まで時計回りまたは反時計回りで移動させた後、回転方向を切り替えて移動させ、残存容量を表示させる。または、指針を、基準位置まで時計回りまたは反時計回りで移動させ、基準位置で一定時間停止させた後、同じ回転方向に移動させ、残存容量を表示させる。すなわち、指針に基準位置を指示させるとは、指針が基準位置を指示していることをユーザーが認識できるように指針の移動を制御することを意図する。
このように、残存容量を表示する場合の指針の動きが、計測時間を表示する場合の指針の動きと異なるため、ユーザーは、指針の動きから、指針が残存容量を表示していることを容易に認識できる。
【０００８】
本発明の電子時計において、前記表示制御手段は、前記指針に前記残存容量を表示させる場合、前記指針を反時計回りに移動させて前記基準位置を指示させた後、時計回りに移動させて前記残存容量を表示させることが好ましい。
【０００９】
指針は、計測時間を表示する場合、時計回りに移動することが多いため、指針が残存容量を表示する場合、基準位置まで反時計回りに移動することで、指針が計測時間ではなく残存容量を表示していることを、より分かり易くできる。
【００１０】
本発明の電子時計において、前記計測時間を表示する複数の指針を備え、前記複数の指針のうち、最も高速に移動可能な指針が、前記残存容量の表示に用いられることが好ましい。
【００１１】
電子時計が、例えば、計測時間を表示するクロノグラフ秒針およびクロノグラフ分針を備え、クロノグラフ秒針およびクロノグラフ分針が共通の駆動手段で駆動される場合、クロノグラフ秒針の方がクロノグラフ分針よりも高速で移動できるように構成されている。この場合、本発明によれば、クロノグラフ秒針によって残存容量が表示されるため、クロノグラフ分針を用いた場合と比べて、操作手段に対して容量表示操作が行われてから残存容量を表示するまでの時間を短くできる。
【００１２】
本発明の電子時計において、前記指針は、６０秒で１周するクロノグラフ秒針であり、前記表示制御手段は、前記指針に、前記基準位置として３０秒位置を指示させることが好ましい。
【００１３】
本発明によれば、基準位置が、０秒位置から最も遠い位置に設定されるため、指針が基準位置を指示していることを、より分かり易くできる。
【００１４】
本発明の電子時計において、前記表示制御手段は、基準信号を生成する基準信号生成回路と、前記基準信号をカウントする内部カウンター回路と、前記指針の位置を示す針位置カウンター回路と、前記内部カウンター回路のカウント値および前記針位置カウンター回路のカウント値が一致しない場合に、前記針位置カウンター回路にカウントを行わせ、かつ、前記指針を運針させる制御信号を出力する一致判定回路と、を備え、前記計測表示操作が検出された場合、前記内部カウンター回路に前記基準信号のカウントを行わせ、前記一致判定回路に前記制御信号を出力させることで、前記指針を移動させて前記計測時間を表示させ、前記容量表示操作が検出された場合、前記内部カウンター回路のカウント値が前記基準位置に対応する基準値となるまで、前記内部カウンター回路に前記基準信号のカウントを行わせ、前記一致判定回路に前記制御信号を出力させることで、前記指針を移動させて前記基準位置を指示させ、前記内部カウンター回路のカウント値が前記基準値となった後、前記内部カウンター回路のカウント値を所定のカウント値に設定することで、前記一致判定回路に前記制御信号を出力させて、前記指針を移動させ、前記針位置カウンター回路のカウント値が前記残存容量に対応した所定値になると、前記一致判定回路に前記制御信号の出力を停止させることで、前記指針を停止させて前記残存容量を表示させることが好ましい。
【００１５】
本発明によれば、操作手段に対して計測表示操作が行われると、内部カウンター回路が基準信号をカウントし、一致判定回路が制御信号を出力することで、指針が移動して計測時間を表示する。
また、操作手段に対して容量表示操作が行われると、内部カウンター回路のカウント値が基準位置に対応する基準値となるまで、内部カウンター回路が基準信号をカウントし、一致判定回路が制御信号を出力することで、指針が移動して基準位置を指示する。
そして、内部カウンター回路のカウント値が基準値になると、内部カウンター回路のカウント値を所定のカウント値（例えば０）に設定することで、一致判定回路が制御信号を出力し、指針が移動する。そして、針位置カウンター回路のカウント値が残存容量に対応した所定値になると、一致判定回路が制御信号の出力を停止することで、指針が停止して残存容量を表示する。
これによれば、計測時間および残存容量を、共通の内部カウンター回路、針位置カウンター回路および一致判定回路を用いて表示させることができるため、計測時間の表示と残存容量の表示とで、別々のカウンター回路などを設ける場合と比べて、電子時計の回路規模を小さくできる。
【００１６】
本発明の電子時計の表示制御方法は、電気エネルギーを発生する発電手段と、前記電気エネルギーを蓄える蓄電手段と、操作手段と、計測時間および前記蓄電手段の残存容量の表示に用いられる指針と、を備える電子時計の表示制御方法であって、前記残存容量を検出するステップと、前記操作手段に対する前記計測時間の表示を指示する計測表示操作を検出するステップと、前記操作手段に対する前記残存容量の表示を指示する容量表示操作を検出するステップと、前記計測表示操作が検出された場合、前記指針を移動させて前記計測時間を表示させるステップと、前記容量表示操作が検出された場合、前記指針を移動させて予め設定された基準位置を指示させた後、前記残存容量を表示させるステップと、を有することを特徴とする。
本発明によれば、ユーザーは、指針の動きから、指針が残存容量を表示していることを容易に認識できる。
【図面の簡単な説明】
【００１７】
【図１】本発明に係る実施形態の電子時計を示す正面図。
【図２】前記実施形態における電子時計の概略構成を示す図。
【図３】前記実施形態における計測カウンター回路を示す図。
【図４】前記実施形態におけるインジケーター表示処理を示す図。
【図５】前記実施形態におけるＣＧ秒針の指示位置の遷移を示す図。
【図６】前記実施形態における計測時間表示処理を示す図。
【発明を実施するための形態】
【００１８】
以下に、本発明の実施形態を図面に基づいて説明する。
図１は、電子時計１を示す正面図である。
電子時計１は、ユーザーの手首に装着される腕時計であり、円筒状の外装ケース１１を備え、外装ケース１１の二つの開口のうち、表面側の開口は、カバーガラス１３で塞がれており、裏面側の開口は図示しない裏蓋で塞がれている。
外装ケース１１の内周側には、円盤状の文字板１２が配置されている。文字板１２には、時計表面側から見て、中心から６時方向にずれた位置に円形の第１小窓２０が設けられ、中心から９時方向にずれた位置に円形の第２小窓３０が設けられ、中心から３時方向にずれた位置に円形の第３小窓４０が設けられ、中心から４時と５時の中間の方向にずれた位置に、カレンダー小窓１２１が設けられている。
【００１９】
また、電子時計１は、時刻情報を表示する秒針１４、分針１５、時針１６、２４時針４１と、時間を計測した計測時間を表示するクロノグラフ（ＣＧ）秒針２１、クロノグラフ分針３１とを備えている。
時刻情報を表示する指針１４〜１６，４１のうち、指針１４〜１６は、文字板１２の中心に配置され、指針４１は、第３小窓４０に配置されている。各指針１４〜１６，４１は、文字板１２の裏蓋側に設けられた図示しない時刻針用ステップモーターによって駆動される。
【００２０】
ＣＧ秒針２１は、第１小窓２０に配置されている。第１小窓２０の外周には、１周を６０分割する目盛２２と、目盛２２の外側に配置された１周を１２分割する目盛２３とが表記されている。ＣＧ秒針２１は、目盛２２，２３を指示することで、計測時間の秒を表示する。
また、第１小窓２０の周囲には、ＣＧ秒針２１の回転軸から見て７時方向から９時方向の範囲に、第１小窓２０の外周に沿って、７時方向の基端が細く、９時方向の先端が太い三日月鎌状の記号２４が表記されている。この記号２４は、二次電池３（図２参照）のパワーインジケーターであり、ＣＧ秒針２１が、記号２４の基端（３５秒位置）、中間（４０秒位置）、先端（４５秒位置）のいずれかを指示することで、二次電池３の残存容量を表示する。すなわち、ＣＧ秒針２１は、インジケーターを指示するインジケーター針としても機能する。
すなわち、ＣＧ秒針２１は、本発明の計測時間および残存容量の表示に用いられる指針の一例である。
ＣＧ分針３１は、第２小窓３０に配置されている。第２小窓３０の外周には、１周を３０分割する目盛３２が表記されている。ＣＧ分針３１は、目盛３２を指示することで、計測時間の分を表示する。なお、ＣＧ分針３１が表示できる分の最大値は３０分である。
ＣＧ秒針２１およびＣＧ分針３１は、文字板１２の裏蓋側に設けられたＣＧ針用ステップモーター４（図２参照）によって駆動される。ＣＧ針用ステップモーター４は、本発明の駆動手段の一例である。なお、ＣＧ秒針２１は、６０ステップで１周し、ＣＧ分針３１は、１８００ステップで１周する。すなわち、計測時間を表示する際は、ＣＧ秒針２１は６０秒で１周し、ＣＧ分針３１は３０分で１周する。
【００２１】
文字板１２の裏蓋側にはカレンダー車（日車）１７が配置され、このカレンダー車１７は、カレンダー小窓１２１から視認可能となっている。
外装ケース１１の側面には、文字板１２の中心より、２時方向の位置にＡボタン５１と、４時方向の位置にＢボタン５２と、３時方向の位置にリューズ５３とが設けられている。これらのＡボタン５１、Ｂボタン５２およびリューズ５３が操作されることにより、操作に応じた入力が行わる。なお、リューズ５３は、時計の中心に向かって押し込まれた状態から、２段引くことが可能に構成されている。
ここで、Ａボタン５１、Ｂボタン５２、リューズ５３は、本発明の操作手段の一例である。
【００２２】
図２は、電子時計１の概略構成を示す図である。
なお、図２では、ＣＧ秒針２１，ＣＧ分針３１を駆動するための構成を図示し、秒針１４、分針１５、時針１６、２４時針４１を駆動するための構成については、図示を省略している。
電子時計１は、制御回路１００、発電手段としてのソーラーパネル２、蓄電手段としての二次電池３、ＣＧ針用ステップモーター４、発振回路５、分周回路６を備えている。
【００２３】
ソーラーパネル２は、光を受光すると、電気エネルギーを発生する。
二次電池３は、ソーラーパネル２で発電された電気エネルギーを蓄える。
ＣＧ針用ステップモーター４は、単一のモーターであり、ＣＧ秒針２１およびＣＧ分針３１を駆動する。
発振回路５は、水晶振動子などを備え、３２．７６８ｋＨｚなどの所定の周波数の信号を出力する。
分周回路６は、発振回路５から出力された信号を分周して制御回路１００に出力する。
【００２４】
制御回路１００は、ＳＷＡ端子６１、ＳＷＢ端子６２、ＲＥＳＥＴ端子６３、チャタリング防止回路６４，６５、クロノグラフ入力判定回路６６、インジケーター入力判定回路６７、０位置合わせ制御回路６８、基準信号生成回路６９、計測カウンター回路８０、駆動タイミング生成回路７１、正転駆動パルス生成回路７２、逆転駆動パルス生成回路７３、モータードライバー制御回路７４、モーター端子７５、電源電圧検出制御回路７６を備える。
【００２５】
ＳＷＡ端子６１には、Ａボタン５１が押されると検出信号が入力される。
ＳＷＢ端子６２には、Ｂボタン５２が押されると検出信号が入力される。
ＲＥＳＥＴ端子６３には、リューズ５３が２段引かれると検出信号が入力される。
【００２６】
チャタリング防止回路６４は、ＳＷＡ端子６１およびＳＷＢ端子６２に入力された検出信号に対して、分周回路６から出力された１２８Ｈｚのクロック信号を用いてサンプリングを行うことでチャタリングを除去し、クロノグラフ入力判定回路６６、インジケーター入力判定回路６７、０位置合わせ制御回路６８に出力する。
チャタリング防止回路６５は、ＲＥＳＥＴ端子６３に入力された検出信号に対して、分周回路６から出力された６４Ｈｚのクロック信号を用いてサンプリングを行うことでチャタリングを除去し、０位置合わせ制御回路６８に出力する。
【００２７】
クロノグラフ入力判定回路６６は、チャタリング防止回路６４から出力された検出信号（ＳＷＡ端子６１およびＳＷＢ端子６２に入力された検出信号）に基づいて、Ａボタン５１およびＢボタン５２の操作を判定し、操作に応じた操作信号を出力する。
具体的には、クロノグラフ（時間計測）のスタートを指示するＣＧスタート信号を、基準信号生成回路６９に出力する。
また、スプリットタイムの計測を指示するＣＧスプリット信号、および、スプリットタイムの計測の解除を指示するＣＧスプリット解除信号を、計測カウンター回路８０に出力する。
また、クロノグラフのリセットを指示するＣＧリセット信号を、基準信号生成回路６９、計測カウンター回路８０、駆動タイミング生成回路７１に出力する。
【００２８】
インジケーター入力判定回路６７は、チャタリング防止回路６４から出力された検出信号（ＳＷＢ端子６２に入力された検出信号）に基づいて、Ｂボタン５２の操作を判定し、操作に応じた操作信号を出力する。
具体的には、二次電池３の残存容量の表示（インジケーター表示）のスタートを指示するＩＮＤスタート信号を、基準信号生成回路６９に出力する。
ここで、クロノグラフ入力判定回路６６およびインジケーター入力判定回路６７は、操作検出手段２００を構成する。
【００２９】
０位置合わせ制御回路６８は、チャタリング防止回路６４から出力された検出信号（ＳＷＡ端子６１に入力された検出信号）、および、チャタリング防止回路６５から出力された検出信号に基づいて、Ａボタン５１およびリューズ５３の操作を判定し、操作に応じた信号を駆動タイミング生成回路７１に出力する。
具体的には、リューズ５３が２段引かれた状態で、Ａボタン５１が押される（単発押し）と、１パルスの信号を駆動タイミング生成回路７１に出力する。これにより、ＣＧ秒針２１およびＣＧ分針３１を、１ステップ分運針させることができる。
また、リューズ５３が２段引かれた状態で、Ａボタン５１が長押しされると、クロック信号を駆動タイミング生成回路７１に出力する。この際、クロック信号の周波数を１６Ｈｚ、３２Ｈｚ、６４Ｈｚ、８５．３Ｈｚと段階的に高くして出力する。これにより、ＣＧ秒針２１およびＣＧ分針３１を、加速させながら早送りさせることができる。なお、１６Ｈｚ、３２Ｈｚ、６４Ｈｚのクロック信号は、分周回路６から供給され、８５．３Ｈｚのクロック信号は、駆動タイミング生成回路７１から供給される。
【００３０】
基準信号生成回路６９には、分周回路６から出力された５１２Ｈｚのクロック信号が入力される。そして、基準信号生成回路６９は、ＣＧスタート信号が入力されると、５１２Ｈｚのクロック信号に基づいて、１Ｈｚのクロック信号を生成する。また、ＩＮＤスタート信号が入力されると、５１２Ｈｚのクロック信号に基づいて、３２Ｈｚのクロック信号を生成する。そして、生成したクロック信号を、計測カウンター回路８０および駆動タイミング生成回路７１に出力する。
また、ＣＧリセット信号が入力されると、クロック信号の生成を終了する。
【００３１】
図３は、計測カウンター回路８０を示す図である。
計測カウンター回路８０は、内部カウンター回路８０１、カウンター値ラッチ回路８０２、一致判定回路８０３、針位置カウンター回路８０４、ＯＲ回路８０５，８０６、アップダウン切替回路８０７、１８００カウンターデコーダー回路８０８，８１０、３１カウンターデコーダー回路８０９、所定値カウンターデコーダー回路８１１、停止時間判定回路８１２を備える。
【００３２】
内部カウンター回路８０１は、基準信号生成回路６９から出力された１Ｈｚまたは３２Ｈｚのクロック信号をカウントする。内部カウンター回路８０１は、１１段のフリップフロップ回路によって構成され、少なくとも１８００までカウント可能に構成されている。
１８００カウンターデコーダー回路８０８は、内部カウンター回路８０１の出力信号をデコードしてカウント値を検出する。
３１カウンターデコーダー回路８０９は、後述するインジケーター表示処理が行われる場合に動作し、内部カウンター回路８０１の出力信号をデコードしてカウント値が３１になったことを検出すると、検出信号（Ｈレベル信号）をＯＲ回路８０５、アップダウン切替回路８０７に出力する。
ＯＲ回路８０５には、クロノグラフ入力判定回路６６から出力されたＣＧリセット信号（Ｈレベル信号）、および、３１カウンターデコーダー回路８０９から出力された検出信号（Ｈレベル信号）が入力される。そして、ＯＲ回路８０５は、ＣＧリセット信号および検出信号のいずれかが入力されると、内部カウンター回路８０１のカウント値をクリアーして０とするクリアー信号を、内部カウンター回路８０１に出力する。
【００３３】
カウンター値ラッチ回路８０２は、１１段のフリップフロップ回路によって構成され、内部カウンター回路８０１がクロック信号をカウントする毎に、保持しているカウント値を、内部カウンター回路８０１のカウント値と同じ値に更新して保持する。
ここで、カウンター値ラッチ回路８０２は、クロノグラフ入力判定回路６６からＣＧスプリット信号が入力されると、カウント値を更新せずに保持し続ける。そして、この状態でクロノグラフ入力判定回路６６からＣＧスプリット解除信号が入力されると、カウント値の更新を再開する。
【００３４】
一致判定回路８０３は、カウンター値ラッチ回路８０２のカウント値、すなわち、内部カウンター回路８０１のカウント値と、後述する針位置カウンター回路８０４のカウント値とを比較し、一致しているか否かを判定する。そして、一致していない場合は、１パルスの信号である不一致信号（Ｈレベル信号）をＯＲ回路８０６、および、駆動タイミング生成回路７１に出力する。ここで、不一致信号は、本発明の制御信号の一例である。
【００３５】
ＯＲ回路８０６は、後述する停止時間判定回路８１２から針位置カウンター回路８０４のカウントを停止させる停止信号（Ｈレベル信号）が入力されていない場合に、一致判定回路８０３から１パルスの信号である不一致信号（Ｈレベル信号）が入力されると、１パルスの信号をアップダウン切替回路８０７に出力する。
【００３６】
アップダウン切替回路８０７は、ＯＲ回路８０６から１パルスの信号が入力される毎に、１パルスの信号を針位置カウンター回路８０４、正転駆動パルス生成回路７２、逆転駆動パルス生成回路７３に出力する。また、アップダウン切替回路８０７は、３１カウンターデコーダー回路８０９から出力された検出信号、および、後述する１８００カウンターデコーダー回路８１０のカウント値に応じて、針位置カウンター回路８０４のカウント方式をカウントアップまたはカウントダウンに切り替える。
【００３７】
針位置カウンター回路８０４は、アップダウン切替回路８０７から出力されるパルスをカウントする。針位置カウンター回路８０４は、１１段のフリップフロップ回路によって構成され、少なくとも１８００までカウント可能に構成されている。
１８００カウンターデコーダー回路８１０は、針位置カウンター回路８０４の出力信号をデコードしてカウント値を検出し、検出したカウント値をアップダウン切替回路８０７に出力する。
所定値カウンターデコーダー回路８１１は、後述するインジケーター表示処理において、ＣＧ秒針２１が基準位置を指示した後に動作し、針位置カウンター回路８０４の出力信号をデコードし、カウント値が所定値になったことを検出すると、検出信号を停止時間判定回路８１２に出力する。
ここで、前記所定値は、後述する電源電圧検出制御回路７６により、二次電池３の残存容量に応じて、２５、２０、１５のいずれかに設定される。
【００３８】
停止時間判定回路８１２は、インジケーター入力判定回路６７からＩＮＤスタート信号が出力されてからの経過時間を計測する。
また、停止時間判定回路８１２は、所定値カウンターデコーダー回路８１１から検出信号が出力されると、針位置カウンター回路８０４のカウントを停止させる停止信号（Ｈレベル信号）を、ＯＲ回路８０６に出力する。そして、停止信号を出力した後、前記経過時間が所定時間（４秒）になると、停止信号の出力を停止する。
なお、計測カウンター回路８０の詳細な動作については後述する。
【００３９】
図２に戻り、駆動タイミング生成回路７１は、分周回路６から出力される５１２Ｈｚのクロック信号、０位置合わせ制御回路６８から出力されるクロック信号、計測カウンター回路８０から出力される不一致信号に基づいて、正転用のクロック信号、タイミング生成用クロック信号、逆転用のクロック信号を生成する。
また、駆動タイミング生成回路７１は、ＣＧリセット信号や基準信号生成回路６９から出力されるクロック信号などに応じて、ＣＧ秒針２１の回転方向を、正転（時計回り）または逆転（反時計回り）に切り替える切替回路を備える。
駆動タイミング生成回路７１は、前記切替回路によって前記回転方向を正転に設定した場合、正転用のクロック信号、および、タイミング生成用クロック信号を生成し、正転駆動パルス生成回路７２に出力する。なお、インジケーター表示を行う場合の正転用のクロック信号の周波数は、８５．３Ｈｚである。
また、前記切替回路によって前記回転方向を逆転に設定した場合、逆転用のクロック信号を生成し、逆転駆動パルス生成回路７３に出力する。なお、インジケーター表示を行う場合の逆転用のクロック信号の周波数は、３２Ｈｚである。
【００４０】
正転駆動パルス生成回路７２は、駆動タイミング生成回路７１から出力される正転用のクロック信号およびタイミング生成用クロック信号に基づいて、正転用のモーター駆動パルスを生成し、計測カウンター回路８０のアップダウン切替回路８０７から１パルスの信号が入力される毎に、ＣＧ針用ステップモーター４を１ステップ分正転させるモーター駆動パルスをモータードライバー制御回路７４に出力する。
【００４１】
逆転駆動パルス生成回路７３は、駆動タイミング生成回路７１から出力される逆転用のクロック信号、および、分周回路６から出力される２ＫＨｚのクロック信号に基づいて、逆転用のモーター駆動パルスを生成し、計測カウンター回路８０のアップダウン切替回路８０７から１パルスの信号が入力される毎に、ＣＧ針用ステップモーター４を１ステップ分逆転させるモーター駆動パルスをモータードライバー制御回路７４に出力する。
【００４２】
モータードライバー制御回路７４は、正転駆動パルス生成回路７２および逆転駆動パルス生成回路７３から出力されたモーター駆動パルスをモーター端子７５に出力してＣＧ針用ステップモーター４を駆動する。
【００４３】
電源電圧検出制御回路７６は、本発明の容量検出手段の一例であり、二次電池３の残存容量を検出し、検出した残存容量に応じて、計測カウンター回路８０が備える所定値カウンターデコーダー回路８１１の前記所定値を、２５、２０、１５のいずれかに設定する。具体的には、残存容量が少ない場合は、前記所定値を２５に設定し、残存容量が中間である場合は、前記所定値に２０を設定し、残存容量が充分である場合は、前記所定値に１５を設定する。
また、電源電圧検出制御回路７６は、二次電池３の電池電圧が低下した場合は、秒針１４の運針周期を通常時の運針周期と異ならせる。これにより、電子時計１は、電池電圧が低下していることを表示できる。この機能は、ＢＬＤ（Battery Low Display）機能などと称される。
【００４４】
ここで、基準信号生成回路６９、計測カウンター回路８０、駆動タイミング生成回路７１、正転駆動パルス生成回路７２、逆転駆動パルス生成回路７３、モータードライバー制御回路７４は、表示制御手段３００を構成する。
【００４５】
［インジケーター表示処理］
次に、ＣＧ秒針２１に記号２４を指示させ、二次電池３の残存容量を表示させるインジケーター表示処理について説明する。
図４は、インジケーター表示処理を示す図である。図５は、ＣＧ秒針２１の指示位置の遷移を示す図である。以下では、図４に沿って、図２，３，５を参照しながら説明を行う。
クロノグラフの非動作時は、図５の状態Ａに示すように、ＣＧ秒針２１は、初期位置として０秒位置を指示している（Ｓ１１）。このとき、計測カウンター回路８０の内部カウンター回路８０１、カウンター値ラッチ回路８０２、針位置カウンター回路８０４のカウント値は０に設定されている。
この状態で、Ｂボタン５２が長押し（０．７５〜１秒）され、残存容量の表示（インジケーター表示）を指示する容量表示操作が行われると（Ｓ１２）、インジケーター入力判定回路６７が当該容量表示操作を検出してＩＮＤスタート信号を出力し、インジケーター表示処理が開始される（Ｓ１３）。なお、クロノグラフの動作時は、Ｂボタン５２が長押しされても、インジケーター表示処理は開始されない。
【００４６】
インジケーター表示処理が開始されると、計測カウンター回路８０の停止時間判定回路８１２は、表示時間の計測を開始し（Ｓ１４）、１Ｈｚのクロック信号のカウントを開始する（Ｓ１５）。
【００４７】
また、インジケーター表示処理が開始され、インジケーター入力判定回路６７からＩＮＤスタート信号が出力されると、基準信号生成回路６９は、３２Ｈｚのクロック信号を生成して出力する。これにより、計測カウンター回路８０の内部カウンター回路８０１に、３２Ｈｚのクロック信号が入力され、計測カウンター回路８０は当該クロック信号のカウントを開始する（Ｓ１６）。
また、基準信号生成回路６９から３２Ｈｚのクロック信号が出力されると、駆動タイミング生成回路７１は、ＣＧ秒針２１の回転方向を逆転に切り替える。これにより、逆転駆動パルス生成回路７３から逆転用のモーター駆動パルスが出力される設定が行われる（Ｓ１７）。そして、駆動タイミング生成回路７１は、３２Ｈｚの逆転用のクロック信号を生成し、逆転駆動パルス生成回路７３に出力する。
【００４８】
内部カウンター回路８０１が１つカウントアップすると（Ｓ１８）、カウンター値ラッチ回路８０２が保持する値が１となる。このとき、針位置カウンター回路８０４のカウント値は０のため、カウンター値ラッチ回路８０２が保持する値と、針位置カウンター回路８０４のカウント値が一致せず、一致判定回路８０３から１パルスの不一致信号が出力される。
これにより、ＯＲ回路８０６から１パルスの信号が出力され、アップダウン切替回路８０７から１パルスの信号が出力される。ここでは、針位置カウンター回路８０４のカウント方式がカウントアップに設定されているため、アップダウン切替回路８０７から１パルスの信号が出力されると、針位置カウンター回路８０４は、１つカウントアップする（Ｓ１９）。
また、アップダウン切替回路８０７から１パルスの信号が出力されると、逆転駆動パルス生成回路７３は、逆転用のモーター駆動パルスを出力する（Ｓ２０）。これにより、ＣＧ秒針２１は、反時計回りに１ステップ分（１秒分）移動する。
【００４９】
その後は、内部カウンター回路８０１が１つカウントアップする毎に、一致判定回路８０３から不一致信号が出力され、アップダウン切替回路８０７から１パルスの信号が出力される。そして、アップダウン切替回路８０７から１パルスの信号が出力される毎に、針位置カウンター回路８０４は、１つカウントアップし、ＣＧ秒針２１は、反時計回りに１ステップ分移動する。
そして、内部カウンター回路８０１のカウント値が、基準値である３０になると、針位置カウンター回路８０４のカウント値も３０となり（Ｓ２１）、図５の状態Ｂに示すように、ＣＧ秒針２１は、基準位置として３０秒位置を指示する。なお、ＣＧ秒針２１が０秒位置から移動を開始してから３０秒位置を指示するまでの時間は、約１秒（≒３０ステップ÷３２Ｈｚ）である。
【００５０】
そして、内部カウンター回路８０１が１つカウントアップしてカウント値が３１になると（Ｓ２２）、３１カウンターデコーダー回路８０９が検出信号を出力する。これにより、ＯＲ回路８０５からクリアー信号が出力され、内部カウンター回路８０１のカウント値が０にクリアーされるとともに、内部カウンター回路８０１は、クロック信号のカウントを停止する（Ｓ２３）。
また、３１カウンターデコーダー回路８０９が検出信号を出力すると、アップダウン切替回路８０７が、針位置カウンター回路８０４のカウント方式をカウントダウンに設定する（Ｓ２４）。
【００５１】
また、ＯＲ回路８０５からクリアー信号が出力されると、駆動タイミング生成回路７１は、ＣＧ秒針２１の回転方向を正転に切り替える。これにより、正転駆動パルス生成回路７２から正転用のモーター駆動パルスが出力される設定が行われる（Ｓ２５）。そして、駆動タイミング生成回路７１は、８５．３Ｈｚの正転用のクロック信号およびタイミング生成用クロック信号を生成し、正転駆動パルス生成回路７２に出力する。
【００５２】
内部カウンター回路８０１のカウント値が０にクリアーされると、カウンター値ラッチ回路８０２が保持する値も０となる。このとき、針位置カウンター回路８０４のカウント値は３０のため、カウンター値ラッチ回路８０２が保持する値、すなわち、内部カウンター回路８０１のカウント値と、針位置カウンター回路８０４のカウント値が一致せず、一致判定回路８０３から不一致信号が出力される。
これにより、ＯＲ回路８０６から１パルスの信号が出力され、アップダウン切替回路８０７から１パルスの信号が出力される。そして、針位置カウンター回路８０４は、１つカウントダウンする（Ｓ２６）。
また、アップダウン切替回路８０７から１パルスの信号が出力されると、正転駆動パルス生成回路７２は、正転用のモーター駆動パルスを出力する（Ｓ２７）。これにより、ＣＧ秒針２１は、基準位置である３０秒位置から時計回りに１ステップ分（１秒分）移動する。
【００５３】
その後、一致判定回路８０３は、針位置カウンター回路８０４のカウント値が０となるまで、不一致信号を出力する。なお、このとき、一致判定回路８０３は、１／８５．３秒間隔で不一致信号を出力する。このため、ＣＧ秒針２１は、時計回りに１／８５．３秒毎に１ステップずつ移動する。そして、針位置カウンター回路８０４は、一致判定回路８０３から不一致信号が出力される毎に、１つカウントダウンする。
【００５４】
ここで、所定値カウンターデコーダー回路８１１の前記所定値は、電源電圧検出制御回路７６により、予め二次電池３の残存容量に応じて、２５、２０、１５のいずれかに設定されている。具体的には、前記所定値は、残存容量が少ない場合（持続時間が短い場合）は、２５に設定され、残存容量が中間である場合（持続時間が中間である場合）は、２０に設定され、残存容量が充分である場合（持続時間に余裕がある場合）は、１５に設定される。なお、電源電圧検出制御回路７６は、残存容量を、二次電池３の電池電圧の検出結果に基づいて判定する。
【００５５】
そして、針位置カウンター回路８０４がカウントダウンを続け、カウント値が前記所定値になると（Ｓ２８）、所定値カウンターデコーダー回路８１１は、検出信号を出力する。そして、停止時間判定回路８１２は、停止信号をＯＲ回路８０６に出力する。
停止信号が入力されている間、ＯＲ回路８０６は、不一致信号が入力された場合も、パルス信号を出力しない。このため、針位置カウンター回路８０４はカウントダウンを一時的に停止する（Ｓ２９）。
【００５６】
すなわち、残存容量が少なく、前記所定値が２５に設定されている場合は、針位置カウンター回路８０４は、カウント値が２５になるとカウントダウンを停止する。このとき、ＣＧ秒針２１は、図５の状態Ｃ−１に示すように、３５秒位置を指示した状態で停止し、残存容量が少ない（Ｌ）ことを表示する。
また、残存容量が中間であり、前記所定値が２０に設定されている場合は、針位置カウンター回路８０４は、カウント値が２０になるとカウントダウンを停止する。このとき、ＣＧ秒針２１は、図５の状態Ｃ−２に示すように、４０秒位置を指示した状態で停止し、残存容量が中間である（ＭＩＤ）ことを表示する。
また、残存容量が充分であり、前記所定値が１５に設定されている場合は、針位置カウンター回路８０４は、カウント値が１５になるとカウントダウンを停止する。このとき、ＣＧ秒針２１は、図５の状態Ｃ−３に示すように、４５秒位置を指示した状態で停止し、残存容量が充分である（Ｈ）ことを表示する。
【００５７】
その後、停止時間判定回路８１２がカウントしている１Ｈｚのクロック信号のカウント値が４となり、インジケーター表示処理が開始されてからの経過時間が４秒になると（Ｓ３０）、停止時間判定回路８１２は、停止信号の出力を停止する。これにより、ＯＲ回路８０６は、不一致信号が入力される毎に、１パルスの信号を出力するようになり、ＣＧ秒針２１は移動を再開し、針位置カウンター回路８０４はカウントダウンを再開する（Ｓ３１）。つまり、ＣＧ秒針２１は、残存容量に応じた位置を約２秒間指示した後、時計回りの移動を再開する。
そして、針位置カウンター回路８０４のカウント値が０になると、一致判定回路８０３から不一致信号が出力されなくなるため、ＣＧ秒針２１は、図５の状態Ｄに示すように、０秒位置で停止し、針位置カウンター回路８０４はカウントダウンを終了する（Ｓ３２）。これにより、インジケーター表示処理が終了する（Ｓ３３）。
【００５８】
［計測時間表示処理］
次に、ＣＧ秒針２１およびＣＧ分針３１によって計測時間を表示する計測時間表示処理について説明する。
図６は、計測時間表示処理を示す図である。
クロノグラフの非動作時は、ＣＧ秒針２１は、初期位置として０秒位置を指示し、ＣＧ分針３１は、初期位置として０分位置を指示している（Ｓ４１）。
この状態で、Ａボタン５１が押され、計測時間の表示を指示する計測表示操作が行われると、クロノグラフ入力判定回路６６が当該計測表示操作を検出してＣＧスタート信号を出力する（Ｓ４２）。
ＣＧスタート信号が出力されると、基準信号生成回路６９は、１Ｈｚのクロック信号を生成して出力する。これにより、計測カウンター回路８０の内部カウンター回路８０１に、１Ｈｚのクロック信号が入力され、計測カウンター回路８０は当該クロック信号のカウントを開始する（Ｓ４３）。
また、基準信号生成回路６９から１Ｈｚのクロック信号が出力されると、駆動タイミング生成回路７１は、ＣＧ秒針２１の回転方向を正転に設定する。これにより、正転駆動パルス生成回路７２から正転用のモーター駆動パルスが出力される設定が行われる（Ｓ４４）。そして、駆動タイミング生成回路７１は、１Ｈｚの正転用のクロック信号を生成し、正転駆動パルス生成回路７２に出力する。
【００５９】
内部カウンター回路８０１が１つカウントアップすると（Ｓ４５）、一致判定回路８０３から１パルスの不一致信号が出力される。
これにより、ＯＲ回路８０６から１パルスの信号が出力され、アップダウン切替回路８０７から１パルスの信号が出力される。ここでは、針位置カウンター回路８０４のカウント方式がカウントアップに設定されているため、アップダウン切替回路８０７から１パルスの信号が出力されると、針位置カウンター回路８０４は、１つカウントアップする（Ｓ４６）。
また、アップダウン切替回路８０７から１パルスの信号が出力されると、正転駆動パルス生成回路７２は、正転用のモーター駆動パルスを出力する（Ｓ４７）。これにより、ＣＧ秒針２１およびＣＧ分針３１は、時計回りに１ステップ分（１秒分）移動する。
【００６０】
その後は、内部カウンター回路８０１が１つカウントアップする毎に、一致判定回路８０３から不一致信号が出力され、アップダウン切替回路８０７から１パルスの信号が出力される。そして、アップダウン切替回路８０７から１パルスの信号が出力される毎に、針位置カウンター回路８０４は、カウント値を１つカウントアップし、ＣＧ秒針２１およびＣＧ分針３１は、時計回りに１ステップ分移動する。これにより、ＣＧ秒針２１は、１秒毎に１ステップ分移動しながら、計測時間を表示する。
そして、３０分が経過し、内部カウンター回路８０１のカウント値が１８００になると（Ｓ４８）、針位置カウンター回路８０４のカウント値も１８００となる（Ｓ４９）。このとき、ＣＧ秒針２１は０秒位置を指示し、ＣＧ分針３１は０分位置を指示している。
そして、この状態から、内部カウンター回路８０１が１つカウントアップすると、内部カウンター回路８０１のカウント値が０にクリアーされ（Ｓ５０）、針位置カウンター回路８０４のカウント値も０にクリアーされ（Ｓ５１）、計測時間表示処理が終了する（Ｓ５２）。
【００６１】
なお、計測時間表示処理中にＢボタン５２が押されると、クロノグラフ入力判定回路６６は、ＣＧスプリット信号を出力する。ＣＧスプリット信号が出力されると、計測カウンター回路８０のカウンター値ラッチ回路８０２は、カウント値を更新せずに保持し続ける。このため、内部カウンター回路８０１がカウントアップしても、カウンター値ラッチ回路８０２のカウント値は更新されないため、一致判定回路８０３から不一致信号は出力されない。このため、正転駆動パルス生成回路７２からモーター駆動パルスは出力されず、ＣＧ秒針２１およびＣＧ分針３１は停止する。これにより、スプリットタイムが表示される。
そして、Ｂボタン５２が再度押されると、クロノグラフ入力判定回路６６は、ＣＧスプリット解除信号を出力する。ＣＧスプリット解除信号が出力されると、カウンター値ラッチ回路８０２は、カウント値の更新を再開する。このとき、内部カウンター回路８０１のカウント値と、針位置カウンター回路８０４のカウント値は、ＣＧスプリット信号が出力されてから、ＣＧスプリット解除信号が出力されるまでの時間だけずれている。このため、一致判定回路８０３は、針位置カウンター回路８０４のカウント値が、内部カウンター回路８０１のカウント値（カウンター値ラッチ回路８０２のカウント値）となるまで、不一致信号を出力する。なお、このとき、一致判定回路８０３は、１／８５．３秒間隔で不一致信号を出力する。このため、ＣＧ秒針２１およびＣＧ分針３１は、時計回りに１／８５．３秒毎に１ステップずつ移動し、計測時間を指示する位置まで早送りで移動する。なお、このとき、ＣＧ秒針２１およびＣＧ分針３１を、反時計回りに移動させた方が早く計測時間を表示できる場合には、各ＣＧ針２１，３１を反時計回りに移動させてもよい。
【００６２】
また、計測時間表示処理中にＡボタン５１が押されると、クロノグラフ入力判定回路６６は、ＣＧストップ信号を出力する。ＣＧストップ信号が出力されると、基準信号生成回路６９は、クロック信号の生成を停止する。これにより、内部カウンター回路８０１がカウントを停止し、ＣＧ秒針２１およびＣＧ分針３１は停止する。
この状態で、Ｂボタン５２が押されると、クロノグラフ入力判定回路６６は、ＣＧリセット信号を出力する。ＣＧリセット信号が出力されると、ＯＲ回路８０５は、クリアー信号を出力し、内部カウンター回路８０１のカウント値は０にクリアーされ、内部カウンター回路８０１はカウントを停止する。
内部カウンター回路８０１のカウント値が０にクリアーされると、一致判定回路８０３は、針位置カウンター回路８０４のカウント値が０となるまで、不一致信号を出力する。なお、このとき、一致判定回路８０３は、１／８５．３秒間隔で不一致信号を出力する。このため、ＣＧ秒針２１およびＣＧ分針３１は、時計回りに１／８５．３秒毎に１ステップずつ移動し、０秒位置、０分位置を指示するまで早送りで移動する。なお、このとき、ＣＧ秒針２１およびＣＧ分針３１を、反時計回りに移動させた方が早く０秒位置、０分位置を指示できる場合には、各ＣＧ針２１，３１を反時計回りに移動させてもよい。
【００６３】
［実施形態の作用効果］
電子時計１によれば、残存容量を表示する場合のＣＧ秒針２１の動きが、計測時間を表示する場合のＣＧ秒針２１の動きと異なるため、ユーザーは、ＣＧ秒針２１の動きから、ＣＧ秒針２１が残存容量を表示していることを容易に認識できる。
また、残存容量を表示するための専用の指針を設ける必要がないため、指針の数およびステップモーターの数を減らすことができる。
【００６４】
ＣＧ秒針２１は、計測時間を表示する場合、時計回りに移動するため、ＣＧ秒針２１が残存容量を表示する場合、基準位置まで反時計回りに移動することで、ＣＧ秒針２１が計測時間ではなく残存容量を表示していることを、より分かり易くできる。
【００６５】
共通のＣＧ針用ステップモーター４で駆動されるＣＧ秒針２１およびＣＧ分針３１のうち、ＣＧ秒針２１によって残存容量が表示されるため、ＣＧ分針３１を用いた場合と比べて、操作手段に対して容量表示操作が行われてから残存容量を表示するまでの時間を短くできる。
【００６６】
基準位置が、０秒位置から最も遠い位置に設定されるため、ＣＧ秒針２１が基準位置を指示していることを、より分かり易くできる。
【００６７】
計測時間および残存容量を、共通の内部カウンター回路８０１、針位置カウンター回路８０４および一致判定回路８０３を用いて表示させることができるため、計測時間の表示と残存容量の表示とで、別々のカウンター回路などを設ける場合と比べて、電子時計１の回路規模を小さくできる。これにより、制御回路１００のサイズを小さくでき、また、製造コストを低減できる。
また、計測時間および残存容量を、高価なマイクロコントローラーなどの部品を用いることなく表示できるため、電子時計１のコストを低減できる。
【００６８】
電子時計１をユーザーが見たとき、残存容量が充分である場合のＣＧ秒針２１の指示位置は、残存容量が少ない場合のＣＧ秒針２１の指示位置よりも上側であるため、反対の場合と比べて、ユーザーは、残存容量の大小を直感的に把握し易い。
【００６９】
［他の実施形態］
なお、本発明は前述の実施形態に限定されるものではなく、本発明の目的を達成できる範囲での変形、改良等は本発明に含まれるものである。
【００７０】
前記実施形態では、インジケーター表示処理が開始されると、ＣＧ秒針２１は、０秒位置から反時計回りに移動するが、本発明はこれに限定されない。すなわち、０秒位置から時計回りに移動してもよい。この場合は、ＣＧ秒針２１は、基準位置まで移動した後、反時計回りに移動する。
また、前記実施形態では、ＣＧ秒針２１は、基準位置まで移動した後、回転方向を切り替えて移動し、残存容量を表示するが、本発明はこれに限定されない。例えば、基準位置を指示した状態で一定時間停止した後、同じ回転方向で移動し、残存容量を表示してもよい。すなわち、ＣＧ秒針２１が基準位置を指示していることをユーザーが認識できるようにＣＧ秒針２１が移動すればよい。
【００７１】
前記実施形態では、ＣＧ秒針２１によって残存容量を表示しているが、本発明はこれに限定されない。例えば、ＣＧ秒針２１およびＣＧ分針３１が個別のステップモーターで駆動される場合は、ＣＧ分針３１によって残存容量を表示してもよい。
ただし、電子時計が複数のＣＧ針を備える場合は、最も高速に移動可能な指針によって、残存容量を表示することで、操作手段に対して容量表示操作が行われてから残存容量を表示するまでの時間を最小にできる。
本実施形態では、電子時計１は、ＣＧ秒針２１およびＣＧ分針３１を備えるが、ＣＧ秒針２１がＣＧ分針３１よりも高速で移動可能なため、ＣＧ秒針２１によって残存容量を表示している。なお、電子時計１が、例えば、ＣＧ１／５秒針や、ＣＧ１／２０秒針などを備える場合は、これらのＣＧ針を用いて残存容量を表示してもよい。
【００７２】
前記実施形態では、インジケーター表示処理においてＣＧ秒針２１が指示する基準位置は、３０秒位置に設定されているが、本発明はこれに限定されない。例えば、１５秒位置や４５秒位置に設定されていてもよい。また、例えば、第１小窓２０の外周などに基準位置を示す記号が表記されている場合は、基準位置は、その他の秒位置に設定されていてもよい。
なお、基準位置は、０秒位置とは異なる位置であることが好ましいが、０秒位置と同じ位置に設定してもよい。この場合は、ＣＧ秒針２１を１周させてから基準位置（０秒位置）を指示させる。
また、パワーインジケーターである記号２４の位置も、ＣＧ秒針２１の回転軸から見て７時方向から９時方向の範囲に限定されず、基準位置に応じて適宜設定できる。
【００７３】
前記実施形態では、インジケーター表示処理において、内部カウンター回路８０１のカウント値が３１になると、内部カウンター回路８０１のカウント値はクリアーされて０となる。すなわち、本発明の所定のカウント値は、前記実施形態では０であるが、これに限定されない。すなわち、所定のカウント値は、ＣＧ秒針２１が基準位置から移動して残存容量に応じた位置を指示するまで、針位置カウンター回路８０４のカウント値とは一致しない値であればよい。
【００７４】
前記実施形態では、発電手段はソーラーパネルで構成されているが、本発明はこれに限定されない。すなわち、回転錘の運動やリューズ５３の回転に応じて発電する交流発電機などを用いてもよい。
【符号の説明】
【００７５】
１…電子時計、１００…制御回路、２…ソーラーパネル、２１…ＣＧ秒針、２４…記号、３…二次電池、３１…ＣＧ分針、４…ＣＧ針用ステップモーター、５…発振回路、５１…Ａボタン、５２…Ｂボタン、５３…リューズ、６…分周回路、６１…ＳＷＡ端子、６２…ＳＷＢ端子、６３…ＲＥＳＥＴ端子、６４，６５…チャタリング防止回路、６６…クロノグラフ入力判定回路、６７…インジケーター入力判定回路、６８…制御回路、６９…基準信号生成回路、７１…駆動タイミング生成回路、７２…正転駆動パルス生成回路、７３…逆転駆動パルス生成回路、７４…モータードライバー制御回路、７５…モーター端子、７６…電源電圧検出制御回路、８０…計測カウンター回路、８０１…内部カウンター回路、８０２…カウンター値ラッチ回路、８０３…一致判定回路、８０４…針位置カウンター回路、８０５，８０６…ＯＲ回路、８０７…アップダウン切替回路、８０８，８１０…１８００カウンターデコーダー回路、８０９…３１カウンターデコーダー回路、８１１…所定値カウンターデコーダー回路、８１２…停止時間判定回路。
【図１】
2017106753.tif 000003
【図２】
2017106753.tif 000004
【図３】
2017106753.tif 000005
【図４】
2017106753.tif 000006
【図５】
2017106753.tif 000007
【図６】
2017106753.tif 000008